(57)【特許請求の範囲】
【請求項１】
片手持ち型の計器における測定及び表示方法において、
片手持ち型の計器からのレーザを、前方の離れた測定位置に照準し、
その測定位置における赤外線放射を、本体に備えさせる測定手段によって非接触により測定して、温度を収集し、
上記片手持ち型の計器における本体によってアームを支持し、
そのアームにおける上記測定手段より前方に突出している自由端には表面接触型の温度検出ユニットを備えさせ、
しかも上記のアームは、上記測定手段より前方に突出している自由端に備えさせた表面接触型の温度検出ユニットを、支持できる堅さを備えており、
上記の表面接触型の温度検出ユニットは、上記片手持ち型の計器に接続してあって、上記表面接触型の温度検出ユニットを上記片手持ち型の計器の把手を片手で握って操作することによって上記測定位置に接触させて温度を収集し、
上記収集された非接触及び接触による2つの温度に基づく放射率を、上記片手持ち型の計器によって表示させる
こと特徴とする片手持ち型の計器を用いた放射率の表示方法。
【請求項２】
片手持ち型の計器に備えさせたテスターと、
片手持ち型の計器に備えさせた、レーザー照準手段と前方の離れた測定位置における赤外線放射を測定する為の測定手段とを有する非接触放射計と、
上記片手持ち型の計器における本体によってアームを支持し、
そのアームにおける上記測定手段より前方に突出している自由端には、表面接触型の温度検出ユニットを備えさせ、
しかも上記のアームは、上記測定手段より前方に突出している自由端に備えさせた表面接触型の温度検出ユニットを、支持できる堅さを備えており、
上記の表面接触型の温度検出ユニットは、上記片手持ち型の計器に接続してあって、上記表面接触型の温度検出ユニットを、上記片手持ち型の計器における把手を片手で握って操作することによって上記測定位置に接触させて、温度を収集することを可能にしてある接触型温度計と、
上記の片手持ち型の計器における非接触放射計及び接触型温度計によって得られた、同一対象物からの非接触及び接触の両方の温度測定値に基づく放射率を上記テスターに表示する為の手段とを備える
ことを特徴とする放射率の表示手段を備える片手持ち型の計器。
【発明の詳細な説明】
【０００１】
【発明の属する技術分野】
本発明は一般に、赤外線測定技術を用いて表面温度を測定する手持式の装置に関し、より詳しくは、温度を測定したい対象物上のエネルギーゾーンを画定するために、対象物上にレーザ照準ビームを投射するように構成されたレーザ照準器を使用する装置に関する。本発明は更に、電流、電圧、抵抗、および静電容量のような要素を測定および表示する機能を持つように構成されたテスター（マルチメータ）に関する。
【０００２】
【従来の技術】
例えば、対象物から離れた所に保持された赤外線検出器を用いて対象物の温度を測定する技術が知られている。またかかる赤外線検出器から得られた情報を用いること、又この情報を、対象物に直接接触して置かれた熱電対装置から得られた他の情報と組み合わせれば、対象物の正確な温度と放射率が計算できることも知られている。
【０００３】
【発明が解決しようとする課題】
本発明は、このような温度測定に限定されるものではなく、温度の他に、他のパラメータの遠隔検出、および遠隔検出と接触検出を組み合わせた測定に利用でき、また特に光、音および放射線のかかる検出及び測定に利用できる。
【０００４】
本発明の第1の態様の主要な目的は、テスターと、直接接触により表面温度を決定する第1の装置及び非接触測定により表面からの放射を測定する第2の装置を持つ計器を組み合わせたものを、単独の手による手持式の１台の計器として提供することである。
本発明の別の目的は、赤外線放射および熱電対の接触による温度測定値から導かれる対象物の放射率を測定および表示する方法と装置を提供することであり、かかる測定値は、片手に持って表示を見ながら手持ち操作をするのに適した単独の計器に、既知の関係として検出され表示される。
本発明の別の目的は、赤外線測定手段および熱電対測定手段が互いに着脱可能に取り付けられ、例えば個別に分離して使用し、また使用しない時はより簡単に保管し梱包できるようにし、あるいはその両方を目的としたものを提供することである。本発明の更に別の目的は、放射率、赤外線で検出された温度および熱電対の直接接触による温度の各測定値を、データロガー（data logger）を含むことのできる同一の装置上で、同一のディスプレイまたは個別のディスプレイに表示する方法と装置を提供することである。
本発明の更に別の目的は上記の装置において、対象物に直接接触して置かれる熱電対のような他の測定装置との一時的な接続のために、リード線用のソケットやネジ付きコネクタのような接続手段を持つものを提供することである。
本発明のまた更に別の目的は、希望のパラメータの出力表示を希望のレンジ、例えば℃や°Fで行う装置を提供することである。
【０００５】
本発明のまた更に別の目的は、温度、光、音および放射のようなパラメータの遠隔測定を行い、測定されたパラメータの程度に対応した音声出力を行い、あるいは測定値が事前に設定された限界を超えた時に警報を発生するための方法、およびその方法を実行する装置を提供することである。
本発明のまた更に別の目的は、対象物に関するパラメータの第1要素を遠隔検出し、対象物に関するパラメータの第2要素を接触検出し、またこれらの要素を組み合わせ、各要素を組み合わせた結果に対応する音声出力を発生するための方法、およびその方法を実行する装置を提供することである。
本発明のまた更に別の目的は、音声出力が、必要に応じてパラメータあるいは合成した結果の程度に対応した発話の形式で発せられる方法と装置を提供することである。
本発明のまた更に別の目的は、特に危険な環境でパラメータを測定するために、遠隔制御機能を備えた装置を提供することである。
本発明のまた更に別の目的は、かかる装置と組み合わせて、希望するいずれかの言語、特に多数の言語からの選ばれた一つの言語で、例えば装置に組み込まれた音声合成装置を使用して測定値の音声での読み上げを行うことである。
本発明のまた更に別の目的は、親指で照準およびスイッチの切り替えができるように、例えば片手での操作が容易なピストル型の把手を備えて、手に保持するのに便利な形態を有する上述の装置を提供することである。
本発明のまた更に別の目的は、対象物に直接接触して置かれる熱電対のような他の測定装置を一時的に接続するための、リード線用ソケットのような接続手段を持つ上述の装置を提供することである。
【０００６】
本発明のまた更に別の目的は、テスター又は高温計あるいはその両方が音声命令を受けて制御され、合成された音声出力により測定値が出力されるように構成された装置を提供することである。
本発明のまた更に別の目的は、例えばゴムスリーブのような弾力性のカバー内に囲われることにより、少なくとも部分的に保護された装置を提供することである。
本発明の別の目的は、必要に応じて音声出力をパラメータ又は合成した結果の測定値の程度および／あるいは単位に対応した発話の形態で、あるいはトーン（音）で発せられる方法、および装置を提供することである。
本発明の別の目的は、特に危険な環境でパラメータを測定するために、例えば電波および光による遠隔制御を備えた装置を提供することである。
本発明のまた更に別の目的は、測定されたパラメータや合成結果をデータ記憶可能な形式で例えばコンピュータのモニタ、データロガーに、あるいは記録紙機械を使用して表示するもので、特に連続測定の場合は、一体型の表示または検出測定装置を提供する。
本発明の別の目的は、例えば装置に組み込まれた発話合成器、または音の調子のような他の音響信号の使用により、任意の希望の言語、特に多数の言語から選ばれた一つの言語による、測定値の音声読み出し手段を提供することである。    本発明の別の目的は、例えば片手での操作が容易なピストル型の把手を備えて、手に保持するのに便利な形態を有する上述の装置を提供することである。    本発明の前記、およびその他の目的と利点は、添付図面を参照して本発明の好ましい実施例の詳細説明を読めば明らかになろう。
【０００７】
【課題を解決するための手段】
本発明によれば、（i）テスターと、（ii）表面との直接接触による測定で表面温度を決定する第1の装置と前記表面から離れた位置で感知される放射線の非接触測定を行う第2の装置を持つ計器が、1台の計器内部で組み合わされる。
非接触装置は光学的照準手段を有し、また非接触装置はレーザー照準手段を有してもよい。
上記の組み合わせは更に、温度を測定しようとする表面の放射率の決定手段とデータロガーのようなデータ記録手段を有する。
温度決定に伴う音声出力を提供する手段が含まれ、また音声合成手段を含む。  計器は好ましくは、ピストル型把手のように、手に保持するように構成される。
計器はまた、三脚に取付ける手段を有する。表面の赤外線放射から得られた温度を示す第1ディスプレイ、および前記表面との接触から得られた温度を示す第2ディスプレイが備えられていることが好ましい。
テスターと温度計器は、音声命令によってそれらを制御および操作する手段を有する。
テスターと温度計器は、互いに容易に着脱可能に取り付けられる。
【０００８】
【発明の実施の形態】
以下本願発明の実施の形態を示す図面について説明する。図1、2は、大画面LCDディジタル表示器2と選択スイッチ3を有するテスター1を示す。ここに開示した全ての実施例で、選択スイッチの代わりにキーパッドを使用できる。更に、その自由端に直接接触により温度を測定する熱電対あるいはサーミスタプローブ6を持つリード線5の着脱可能なプラグ4を受けるソケットが備えられる。一方の端にはレーザ照準ビームを照射する投光器があり、温度を測定しようとする表面上に12点のレーザサークル（例えばビーム分割器による1個以上のスポットまたは十字線あるいは小点とサークルのパターン）を形成する。同じ端部に赤外線センサーが内蔵され、非接触の温度測定を行う。赤外線測定用の放射率は0.1から1.0まで調整可能である。
別の実施例では、全ての切り替え、および選択機能にトリガー操作が用いられる。テスターは最小値、最大値および平均値を表示し、また電圧、電流、抵抗、静電容量、インダクタンスおよび周波数を測定し、またダイオードおよび論理テスト機能を持つ。また時間、日付および場所等のデータを記録するデータロガーのような手段を含んでもよい。データの記録について述べるこの明細書の例では、データロガーの使用が考えられる。制御機能の任意のものを遠隔的に起動する手段（図示せず）を含んでもよい。
図2Aは、レーザビーム開口7を示す端面図である。図2Bは、熱電対と赤外線を選択するスライドスイッチ8、放射率係数を調整するコントロール9、およびレーザを瞬間的に動作させるスイッチ10を示す側面図である。図2Cは、視準線と視界のオフセットを示す平面図である。図2Dは、記録紙レコーダへの接続を示す。
【０００９】
図3,4および5は、レーザ照準器およびテスターを高温計と組み合わせた場合を示す。従来型の高温計101が備えられている。これはレンズ103を持つ望遠鏡照準器102を含む。この照準器により、使用者は高温計を対象物に照準できる。2個のレーザ照準器104が、高温計101の相対する両側に備えられている。照準器104の各々は、レーザビーム投光手段105を含み、これらは、略180°離れて置かれ、高温計で測定すべきエネルギーゾーンのそれぞれの側にある対象物に一対のレーザビーム（図示せず）を投射するように構成される。これによりレーザビームは、例えば高温計で測定される対象物のエネルギーゾーンの外周を定めるために用いられる。各レーザビーム投光手段105は同期してパルス状に点滅してそれぞれのレーザの効率を向上することができ、それが更に計器の電力効率を向上し、またレーザビーム投射の認識を改善する。
望遠鏡照準器102の上部には、例えば表示盤107、測定係数選択用の選択スイッチ108、および通常のプローブ111用のそれぞれのリード線110の端部の着脱可能な個々のプラグ109を受ける一対のソケットを持つテスターハウジング106が取り付けられる。
組み合わされた高温計とテスターは、取り扱いと照準に便利なように、着脱式のピストル型把手112に取り付けられる。
【００１０】
これらの図において、テスターハウジング106は照準器102の上に取り付けられ、一つの実施例ではかかる取り付けが恒久的（ただし必要ならば取り外し可能）であるが、別の実施例では例えば適当なバネ、他のクリップまたは止め金により照準器上またはテスターハウジング上、あるいはその両者の上に取り付けられ、更に別の実施例ではテスターハウジング106は照準器上のソケット（あるいはプラグ）と協働するプラグ（あるいはソケット）を下側に備え、必要に応じてテスターを容易に取り外して別の場所で使用でき、必要な時に元通りに取り付けられる。
高温計101内には、照準器104からのレーザビームによって画定される対象物の選択区域から放射される熱線を前面レンズを通して受ける従来の高温計アセンブリ（図示せず）がその前方端（図3と5で右側）に備えられている。把手112にはスイッチ101Aが備えられる。
この構成では、例えば選択スイッチ108のそれぞれの選択位置に高温計の出力を割り当てることにより、高温計の出力の読みをテスターの表示盤107に示す。  図示しない別の構成では、高温計101自体が、テスターハウジング106のそれぞれのソケットに差し込まれる一対の出力リード線を持つ。
好適な形態では、テスター106は代替あるいは追加の操作方法として、測定レンジの選択のような各種操作に対する音声命令を受け、また測定および測定値の表示の係数を合成された発話で知らせるように構成される。
トリガー操作が備えられていても良い。指示、データおよび情報の音声入力、および情報およびデータの音声出力機能を含むメータシステムが、同時継続出願の1997年6月26日付け米国特許出願No.60/050806に詳細に記述されている。
データを検出および表示し、また音声で報告する手持ち式テスターの従来技術が下記に開示されている：
a)HOLLANDER-米国特許No-4949274            1990年  8月14日
b)TACHIMOTO他-米国特許No-4864226          1989年  9月 5日
c)WAGNER W. S.「話すメータ」ELECTRONICS 1979年12月20日123頁
上記項目の全ての内容はここに参考文献として完全に含まれている。
【００１１】
図6は、熱測定器と併用するテスターの別の実施例を示す。図3乃至5に示されたテスターから明らかなように、テスター114はプローブ111Aとは別に、 いずれも測定器の分野では周知のものでここには図示しない(i)熱電対による熱測定器と(ii) 赤外線による熱測定器の接続プラグを受ける別の一対のポート115,116を有する。例えば、第1ポート115は熱電対装置のコネクタを受け、第2ポート116は赤外線測定装置、例えば図3乃至5のピストル型把手装置のコネクタを受ける。
【００１２】
図3乃至5において、赤外線測定装置は比較的小さなテスターを搭載した比較的大きな構造として示されている。別の実施例ではこれらの役目は逆転する、すなわち、比較的大きく作られたテスター自体に、赤外線測定装置が恒久的又は取り外し可能に取付けられる。テスターの内部構造はレンジが簡単に切り替えられるように、熱電対装置および赤外線測定装置のそれぞれの測定結果が、ダイアル上を振れる針または電子的表示により、同じメータ開口内に隣接して表示される。  熱電対測定装置は対象物の表面に直接接触して温度測定を行なうために用いられ、赤外線測定装置は選択された対象区域からの赤外線放射によって対象物の表面温度を測定するために用いられる。これらの測定値を同じメータに表示することにより、既知の数学的計算で対象物の放射率を求めることができる。熱電対をメータに内蔵したテスターを製造している米国ワシントン州のFLUKE社の存在が知られている。またFLUKE社のテスターにプラグインされる高温計を製造している米国カルフォルニアのRAYTEK社の存在も知られている。しかしながら、熱電対の出力と赤外線高温計の出力を比較できるように同じメータ上に同時に表示して、測定対象の放射率を、計算した後に表示する装置を提供する提案は従来まったくなかった。更に本発明の別の実施例によるテスターは、2つの出力の放射率の読みへの変換又は温度の摂氏か華氏の単位での表示、あるいはその両方を行なうマイクロチップなど電子回路を含む。
更に別の実施例では、テスター114（multimeter）は、例えば電圧、電流、抵抗、静電容量、および必要に応じて更に細かい目盛りの、通常のテスター表示の全てあるいは選択された一つを備える。
この高温計とテスターの組み合わせは、現場での使用を容易にするために便利な携帯型手持ち装置として使用されるものである。使用中または輸送中の不注意によって生じる損傷に対して保護するために、更に別の実施例では、組み合わされた装置の全体あるいは部分を弾力性のあるスリーブ内に保護あるいは収納する。
【００１３】
図7に、放射された赤外線と熱電対で検出された温度を直接比較するために接続されるように構成された、2つの測定器を組み込むシステムを示す。
この図において、赤外線放射検出器117は理解が容易なように図式的に示されているが、実際には熱放射を調べようとする物体の対象区域を特定する手段に加えて、その物体の選択された対象区域からの赤外線を受け（検出）、受けた放射に対応する測定値を表示する手段を含む。特定手段および放射検出手段は、矢印方向の対象区域に向かう118で示される。受けた放射の測定値はメータ119のようなアナログ表示又は表示窓120のディジタル表示、あるいはその両方で示される。
第2の測定器は、検出器117に接続できるプラグ124に通常の2本のリード線123で接続されたプローブ122を持つ熱電対計器121であり、それにより熱電対の測定出力はメータ119とディジタル表示窓120に表示される。
これにより、2つの出力の直接の比較が得られる。別の実施例の検出器本体117は2つの検出システムから得た放射率を、メータ119又は表示窓120、あるいは更に別の出力ディスプレイ（図示せず）に表示する回路を含む。検出器117はまたテスター装置に含んでもよい。
別の実施例では、熱電対計器121のプラグインリード線123による赤外線検出器あるいは場合に応じてテスターへの接続の代わり又はそれに加えて、電波信号または赤外線信号などによる任意の便利な既知の形態の無線接続を使用する。
物体からの熱放射の検出用および測定用装置の構成および使用において、物体の対象区域を特定し、その対象区域からの熱放射を検出することが望ましい。対象区域は例えば、赤外線検出手段のレーザシステムから発する複数のレーザビームにより対象物区域を、レーザ光によって照射された連続的な線、あるいは周囲を取り囲むかまたは間隔を置いた点で輪郭を描くか、また更には対象区域の中心を正確に示すことで行える。これらの目的の複数のレーザビームを得ることは、好適な実施例では回折手段のようなビーム分割器手段により可能である。
【００１４】
図7および関係する記述を参照して、赤外線放射計の測定値表示から熱電対装置による測定値表示に、またその逆に、容易にかつ急速に変更できることが実際上便利である。これを可能にするために、別の実施例では、熱電対装置又は赤外線放射計、あるいはその両方にロータリスイッチあるいはスライドスイッチのような手動操作の切り替え手段を備えることにより、2つの測定値の間で切り替え、またでき得れば放射率の評価のためにこれらの測定値が組み合わされる第3の条件に切り替えられるようにする。
【００１５】
図8は、各ユニット間のケーブル、無線あるいは赤外線による接続を図式的に示したものである。
別の実施例の構成では、熱電対接触要素210は取り外し可能であり、異なる温度範囲又は感度、あるいはその両方を持つ別のかかるヘッドと取り替え可能に構成される。
表面熱電対接点は赤外線温度計の光学的視野の中心に配列され、光学レンズから表面熱電対接点までの距離は15.24cm（6インチ）から60.96cm（24インチ）までが望ましい。この距離は熱電対の光学的視野と測定温度範囲に依存する。
表面プローブが、赤外線温度計の光学ハウジングの前面に取付けられ、表面プローブの出力が赤外線温度計に接続されていれば、温度計は表面プローブを介して光学的に対象物の表面温度を測定する準備ができている。
対象物から発せられる赤外線の光エネルギーと対象物の表面温度を測定する表面プローブの出力に基づいて、対象物の放射率を計算する電子的な機能が、装置に内蔵されている。
この機能は任意の温度の任意の表面の放射率を決定する。
本発明による構成の主な利点は、使用者が片手で持って操作しながら、他方の手は自由に他のことができるということである。
【００１６】
図9に参照番号301で一般的に示される測定計器は、スイッチ301Aを持つピストル型把手303上に取付けられた本体302を有する。把手303の下端には、手首にかけるストラップ303C用のネジ付きプラグ303Bまたは三脚の上端のネジ付き棒を受けるネジ付きソケット303Aがある。本体部分302の前面に検出器ヘッド304が取付けられている。様々なな実施例において、この検出器は遠隔温度検出器、遠隔光度検出器、遠隔音響強度検出器あるいは遠隔放射線検出器である。他の実施例では、他のパラメータの遠隔検出器が本体部分302に内蔵されるかまたは分離可能なユニットとして所定位置に取り付けられ、取付け時またはその後に本体302の内部の回路と接続される。
検出器ヘッド304の正確な照準を助けるために、本体部分302は照準手段305を持つ。異なる実施例では、これは十字線や望遠鏡、あるいはレーザビームのような1本又はそれ以上の光のビームを対象区域に照射する単純な光学機器であり、対象区域の中心を決めることと、調べたい対象区域の範囲の画定の両方を目的とする。異なるレーザビームを視野内に集束するように調整することができる。    本体部分302の下側にはメータアセンブリ306が取り付けられるが、一つの実施例ではこれは選択可能なパラメータレンジを持つ簡単なテスターであり、別の実施例では選択可能な異なる範囲にパラメータを変換できる電子回路である。特にメータアセンブリ306はパラメータの示度を音声に、また好ましくは音声合成された発話に変換して、内蔵の音響トランスデューサまたはスピーカに出力する手段を組み込む。
本体部分302は更に、温度を測定したい物体に直接接触して使用される熱電対装置309のような別のパラメータ読みとり計器からのリード線308を受けるソケットのような手段307を持つ。
別の実施例ではトリガー操作が利用される。
【００１７】
図10に、図9の装置のような遠隔検出器310を示す。これはその出力をコンパレータ311に入力するが、コンパレータ311はまた、図9の熱電対のような直接接触型の測定装置312の出力、または図10Bに示すように接触検出器312Bを持ちコンパレータに接続された受信器312Cに信号を入力する送信機312Aからの出力も受ける。遠隔測定と直接接触測定の合成であるコンパレータ311の出力は手段313に供給されて、ここで測定結果がスピーカ又は他のトランスデューサ314から発せられる音声に変換される。音声変換手段313からの音声出力は、選択された言語などの任意の希望の形態で測定結果を与える発話合成器315に供給される。
別の実施例では、コンパレータ311からの出力は別の変換器316に供給されるが、この変換器は熱の測定を行った選択されたレンジ、例えば華氏又は摂氏の単位で測定結果を表示するためのものである。
更に別の実施例では、コンパレータ311からの出力は、本装置で得られた測定値あるいは一連の測定値の電子的記録手段、例えば、結果の表示用に構成されたコンピュータシステム317またはデータロガーに供給される。
また更に別の実施例では、コンパレータ311からの出力は、一連の測定値またはある範囲の測定値を目に見える形で保存する手段318、例えば記録紙装置、およびデータロガー318Aに供給される。
本発明の装置では、遠隔測定は対象物からの距離を例えば12.7cm（５インチ）または152.4cm（５フィート）として、接近または離れた位置で行える。
【００１８】
図11,12、および13に測定装置のある実施例を示すが、これは手で保持されるようにしたもので、また別の形態では一方の手で測定装置を照準および制御できる位置にハンドルを取り付けたものであり、また更に、例えば危険な場所など使用者にとって望ましくない環境に装置を設置できるように三脚に取り外し可能に取付けられるものである。ハンドルは落下を防ぐために安全手首ストラップ、すなわち吊り紐を含む。
測定装置はほぼ矩形の本体501からなり、その前面502に、測定対象の照準および装置との距離測定に使用されるレーザ、あるいは他の光ビーム用の一対の開口部503を持つ。前面にはまた、対象物からの赤外線を受けるレンズ504と、本明細書で以下に述べる各種プローブのいずれか一つのためのソケット505を備える。側壁506にはディジタル表示窓507と、2個のロータリースイッチ制御つまみ508と509、あるいは種々の範囲を選択するキーパッド及び測定すべき各種パラメータがある。裏面510にはプローブのリード線を受けるソケット511が、例えば図11および12に示すように備えられる。
下面512には、一方の端に支持受面514、反対側の端に凹状球面515を持つ矩形のソケット開口部513が備えられている。
【００１９】
図13は三脚516の部分的側面図であり、その上部には、支持受面514の背後に係合する係合部材517があり、また上部には三脚を本体501との堅固な係合状態に保持するために、凹状球面515にカチッと嵌まるバネで付勢された球状突起518がある。
使用者がより強くつかめるように形作られた図11に示すピストル型把手519は、その上端（図示せず）に同様の係合部材517と同様のバネ付勢された球状突起518を有し、使用者の選択によりハンドルと三脚を本体501に解放可能に係合できるように構成される。
ピストル型把手519を本体501に取り付けた場合は、制御つまみ508と509は、例えばハンドルを握る使用者の人差し指で容易に操作できる位置にある。側壁506に備えられた他のすべての操作機能が同様に人差し指で容易に操作できる位置にある。
測定装置の別の実施例（図示せず）では、支持受面514と凹状球面515を持つソケット開口部513は、本体の基底面ではなく側壁に備えられている。
ある変形例では、照準に用いられるレーザや他の光ビームは、モジュール形式で着脱式に作られ、他の照準手段と交換可能である。かかる照準手段は、使用者が取付けられるように分離して適用することができる。このように、1点、2点またはリング、あるいは十字に配列した光点を投射するレーザを選択または代替することができる。
【００２０】
図14に平行六面体の形状を持つ金属または樹脂製の剛体ケース602を持つ測定計器601を示す。
本体602の前面には対象物の選択された区域から離れて、その区域からの赤外線放射を受けて温度を測定する内部ユニットのレンズ603がある。前面には分離可能な第2ユニットを受けるソケット604が備えられる。第2ユニットは例えば伸縮プローブ605のような対象物の選択された区域と直接接触することにより温度を測定する熱電対と、折り畳みアーム606、弾力性の変形可能アーム607およびリード線または光ファイバ608、およびループプローブ609などを有する。このような光ファイバの結合により、接近不能の位置において接続に沿う誘導的な加熱の心配無しに使用することができる。
別の形態では、分離可能ユニットは本体602のレセプタで到達できない位置に使用される赤外線レセプタである。
更に別の実施例では、接触温度装置または赤外線感知装置、あるいはその双方が計器601から離して備えられ、誘導、無線または光信号などにより測定データを送信し、計器601の適当なレセプタへ戻す手段が備えられている。別の形態におけるアームは、金属探知機のような誘導ループ、あるいは埋設配線探知機に使用されるユニットを備える。
本体602は、持ち運びに便利なように部品605から609までを収納する凹部あるいはクリップ（図示せず）を持つ。赤外線検出器の性質の詳細な開示は、このような装置は既知のものであるから不要である。検出器システムを対象物の所望の小さな区域に正確に照準するために、装置は、レーザ又は他の適切な光源の光の1本以上のビームを、開口部610を通して対象区域の点またはサークル、あるいはその双方に照射する内部の投光器（図示せず）を備えている。別の実施例では、レーザ投光器はモジュール形式で着脱式であり、異なるスポットパターンを与える別のこのような投光器によって置き換えられる。
本体602は、装置に電力を供給する電池または商用電源アダプタ用の着脱式あるいは蝶番式カバー611で覆われた収納部を含む。本体602の側面にはその機能および測定しようとする一個あるいは複数のパラメータの範囲を選択する選択スイッチ612が備えられている。本体602にはまた、得られた結果を一時的または恒久的に記録するデータロガー手段（図示せず）が備えられ、かかる記録手段は収納部613内に置かれている。本体602の側面にはまた、測定したパラメータの程度を示すディジタルメータ614が備えられている。このメータはまた例えば日付、時間および参照事項を表示することができる。本体602にはまた、装置を選択された期間の間、または1時間毎のように選択した時間間隔でくり返し動作させるように、あるいは両方の方法で操作できる選択制御つまみ615が備えられ、例えば１ヶ月のような長い期間にわたって測定して記録するように所定の場所に放置したい場合に使用できる。本体602にはまた音響トランスデューサ、ヘッドホンの接続あるいはスピーカーのような音声出力トランスデューサ616を備え、例えば使用者にとって有害な状況または雰囲気内に装置が置かれた時に、測定値に対応する音声出力を出せるようにする。
【００２１】
図17に最も良く図示されるように、本体602の下側には表面から引っ込んでいるかまたは表面と平らなクリップ挿入式あるいはネジ込式のソケット617が備えられ、図14のハンドル618および図15の三脚619を解放可能に係合できるようになっている。ソケット617は、ハンドル618と三脚619が所定位置にある時に装置のバランスが保たれるような適切な位置に備えられる。
【００２２】
図16に、可撓性または弾力性の材料で、装置の本体602を覆う寸法に作られ、好ましくは装置に比較的密着するが解放可能に滑らせて取り付けられるスリーブまたはカバー620を示す。スリーブ620は端部621で開放されており、音響トランスデューサ616用の開口部622、タイマーつまみ615を操作するための開口部623、ディジタルメータ614の読み取り用の開口部あるいは透明窓624、記録手段613を操作するための開口部625、および選択スイッチ612を操作するための開口部626を持つ。必要であれば電池室611を扱うために別の開口部（図示せず）が備えられる。
カバーまたはスリーブ620の下側には、装置の下側のソケット617を操作するための開口部627が備えられる。
別の形態の装置では、例えば内部テープまたはレーザコンパクトディスクのようなディスク、あるいは例えば後で取り外しコンピュターで再生可能ないわゆる磁気「フロッピー（登録商標）ディスク」のような、検出結果の記録を作成する手段（図示せず）を含む。
更に別の実施例では、例えばレーザ光ビームを使用する照準手段には、ガラスまたはプラスティック製の回折器、あるいは例えば二個のレンズ付きのビーム分割器が備えられる。別の実施例では、ホログラフ／ホログラム装置を使用して1つのレーザビームを複数のビームに分割して、円形スポットパターンを形成する。
【００２３】
図18,19および20に温度および放射率の測定及び表示装置を示す。これは離れた位置から対象物の選択した区域からの赤外線放射を受けてその温度を測定する第1ユニットと、その選択された区域と直接接触することにより温度を測定するクリップオン式で着脱可能の第2ユニットを含み、更に2つの温度測定から放射率を計算し、得られた温度及び放射率を表示する手段を含む。
この装置は、取り扱いやすいようにスイッチ702Aを持つピストル型把手702を持つ本体701を有する。装置の「銃身」部分の自由端に、装置が向けられている加熱された対象物からの赤外線放射を受けて測定する手段703が取り付けられる。かかる赤外線検出器システムは既知のものであるから、その性質の詳細な開示は不要である。
検出器システムを正確に対象物の希望する小さな区域に照準し、測定したい対象区域の各辺の点に向かってレーザ光のそれぞれのビームを照準するために、一対のレーザ投光器704A、704Bが備えられている。別の実施例では、レーザ投光器はモジュール構成であり、取り外し可能で他の投光器に取り替えることが出来る。装置の銃身部分705の上部に光学的望遠鏡706が搭載され、装置を遠隔の対象物に関して適切な位置に置くのを補助する。
装置の銃身部分705の下側に、赤外線検出システムの中心線とほぼ平行に前方に伸びる検出器アーム708のために、そのいずれかの側で解放可能なバネクリップ707A,707Bによって銃身に着脱可能に保持される取り付け具707が備えられている。別の構成では望遠鏡は省略され、取り付け具707は、銃身部分708の上、あるいはそのいずれかの側に取り付けられる。検出器アーム708の自由端には、熱電対である接触素子710を持つ表面接触型の温度検出ユニット709が搭載される。接触素子710からの適切な配線をアーム708を通して取り付け具707まで伸ばすか、あるいは可撓性の外部ケーブルを使用する。アーム708は取り付け具707に恒久的に取り付けられるか、あるいは別の実施例ではその端に取り付け具に隣接してプラグを持ち、取り付け具707の中または上にあるジャックに係合する。
【００２４】
取り付け具707の内部には、赤外線測定から得られたデータと接触素子から得られたデータを受けて、銃身部分705上のディスプレイ711にその結果を送る例えばチップを組み込んだ適切な電子回路が備えられている。ある実施例では、かかるディスプレイはスクリーン712上のディジタル形式の電子的ディスプレイであるか、あるいは1個あるいは複数の通常のアナログメータ713である。
ある実施例では、複数の選択位置を持つスイッチまたはキーパッド711Aを備えて、それを保持する手で赤外線の利用、接触測定の利用、放射率の計算、選択されたパラメータの表示などを起動する。検出器アーム708の重要な特徴は、別の実施例ではそれは剛体ではないが、望ましくは堅いが十分な圧力下では直線状態から曲がるように横方向に弾性的に変形可能である。この目的のために、ある実施例では、アーム708は、十分な圧力が加えられた時に直線状態から多少の曲がりを許す、各巻き線が互いに接触するように緊密に巻かれた、良く知られたバネ構造である。別の実施例では、その長さに沿って1個以上のこのような材料の部分を含む。ある実施例では、アーム708は、ゴム又はプラスティック化合物のような比較的堅いが弾力的な材料である。接触素子は、赤外線装置の中心線からずれた状態で示されている。別の実施例では、それは恒久的に中心に合わせてあるか、あるいは移動して合わせられる。
【００２５】
図21に接触素子710を持つアーム714を示す。これは保管のために折り畳み易いように、または例えば対象物上に赤外線システムの焦点を正確に結ばせるために対象物から最適な距離に赤外線検出器システムが置かれるように、装置全体の対象物からの距離を調整できるように、あるいはその両方の目的のために、その長さに沿って伸縮、折り畳みまたは巻き込み可能である。アーム714は、取り外し可能であり、異なる形状及び寸法のものが取り付け可能である。
図22に別の形態のアーム715を示す。これはいわゆる「無精ばさみ」ピボット構造を持ち、やはり保管を容易にするかまたは対象物からの装置の距離を調整するか、あるいはその両方を目的とする。
ある場合には、それぞれ行おうとする測定に適した異なる温度、および／あるいは感度範囲を持つ複数の検出器710A,710B,710C,710Dを有する接触検出ユニット709を検出器アーム708の自由端に備えることが望ましいであろう。この目的のために、検出器710A,710B,710C,710Dは、望ましい検出器を前に出すために希望する位置に回転され、望ましくは解放可能にその位置に保持されるターレット710E上に取付けられる。
【００２６】
図24（A）および（B）に、検出器アーム708の自由端に接触型検出ユニット709Aを備えた構成を示す。接触型検出ユニット709Aはアーム708上の所定の位置に固定され、前面に取り付けられた複数の接触素子710F（そのうち1つのみ図示）を持つ。複数の接触素子710Fは、軸方向に外側にバネで付勢され、その内の選択された1つは回転式開口ディスク716の開口部を通し前方に突出することができる。
【００２７】
図25（A）および（B）に、検出器アーム708の自由端に固定ディスク717を備えた構成を示す。固定ディスク717からは中心の周囲に等間隔で配置された3個の接触型熱素子710Gが突出し、これにより、使用者が手で適切な圧力を加えると、アーム708の弾力性にかかわらず、接触素子710Gが対象物と3点で接触し、必要ならば、対象物の若干広い区域から平均の測定値が得られようにし、特に赤外線検出器が照準された対象物の点の周囲に等間隔に取られる。
【００２８】
図26に、 (a)赤外線測定、(b)接触熱電対測定および (a)と(b)から計算される(c)放射率を得る方法を示すブロック図を示す。図18の受信および測定手段703に対応する赤外線検出器718は、その出力を電子的なデータ処理装置719に供給する。図18から25Bの素子710に対応する直接接触型の熱電対温度検出器720は、その出力をデータ処理装置719に送る。データ処理装置は、赤外線による温度と直接接触の熱電対による温度から計算された放射率を表示するディスプレー721に供給される第1出力を持つ。あるいはデータ処理装置は赤外線で検出された温度と熱電対で検出された温度をそれぞれディスプレイ722と723、および／あるいはデータロガーに供給してもよい。
【００２９】
別の構造の実施例では、熱電対の接触素子710は切り離すことができ、異なる温度範囲または感度あるいはその両方を持つ他のヘッドに取り替えることができるように作られる。
この実施例では、表面熱電対接点は、赤外線温度計の光学的視野の中心に合わせて配置され、光学的レンズから表面熱電対接点までの最適な距離は15.24cm（6インチ）から60.96cm（24インチ）までである。この距離は温度計の光学的視野および測定する温度レンジに依存する。
表面プローブが赤外線温度計のハウジングに取付けられ、表面プローブの出力が赤外線温度計に接続されれば、温度計は光学的にかつ表面プローブを介して対象物の表面温度を測定できる。
対象物から放射された赤外線の光エネルギーと、対象物の表面温度を測定する表面プローブの出力に基づいて、対象物の放射率を計算する機能が装置に組み込まれる。
この機能は、任意の温度における任意の表面の放射率を決定する。放射率は次式で計算される：
E=V(T)/{K*{f(T)-f(Tamb)}}、ここで
E      -対象物表面の放射率
V(T)   -温度Tを測定する赤外線検出器の増幅された出力
K      -ゲイン（利得）係数
f(T)    -温度Tを測定する赤外線検出器の出力（絶対0度を基準とする）
f(Tamb)-周囲温度を測定する赤外線検出器の出力（絶対0度を基準とする）
本発明による構成の主な利点は、使用者が片手で保持して操作しながら他方の手を別の目的に空けておけることである。
【００３０】
図27に、図21の装置のような遠隔検出器810を示す。これはその出力を熱電対のような直接接触型の装置812からの別の出力も受けるコンパレータ811に供給する。この供給は符号化RF、AF、IR、可視光あるいはファイバ光通信を介して行うこともできる。遠隔および直接接触による測定結果であるコンパレータ811の出力は、スピーカその他のトランスデューサ814から発せられる音声に変換する手段813に送られる。音声変換手段813からの音声出力は発話合成器815に供給され、測定結果を選択された言語または変化する音の調子あるいはクリック音などの希望の任意の形態の音声に変換される。
ある実施例では、コンパレータ811の出力は別の変換器816に供給されるが、この変換器は熱の測定を行った選択されたパラメータのレンジ、例えば華氏又は摂氏の単位で測定結果を表示するためのものである。
ある実施例では、コンパレータ811からの出力は、本装置で得られた測定値あるいは一連の測定値の電子的記録手段、例えば、結果の表示用に構成されたコンピュータシステム817及び／またはデータロガー819に供給してもよい。
ある実施例では、コンパレータ811からの出力は、ある測定値または一連の測定値またはある範囲の測定値を目に見える形で保存する手段818、例えば記録紙装置及び／又はデータロガー819に供給してもよい。
【００３１】
本発明の装置では、遠隔測定は対象物からの距離を例えば12.7cm（5インチ）または152.4cm（5フィート）として、離れた位置で、または接近して行える。
本発明のこの態様の特別な利点は、操作者に適さない状況、例えば有毒の雰囲気、放射線の危険あるいは他の危険がある状況に測定手段を置くことができ、操作者は安全な距離に位置することができ、かつ測定手段によってアナウンスされるテスト結果を聴くことができる、ということである。測定手段は、温度の測定に限定されるものではなく、操作者がその場にいないことが望ましいかあるいは必須である時に、色やパターン、ガス成分、放射性放出、騒音のデシベルのような他の要素あるいはパラメータを測定、評価、あるいは比較することができる。  本発明の構造のピストル型把手、そしてまたメータ形の構成の場合、装置の性質が使用者によって直近または離れた場所から容易に目で判別できることが特に有利であり、そしてこの目的のために、ピストル型把手タイプの装置やメータ形の装置にその装置の性質を示す見やすい色分け、例えば黒または灰色の箱あるいはハウジングの上に、例えば滑らせて取り付けるかあるいは別の取り付け方をする弾力性のある外部カバー、スリーブまたはジャケットの形態で、黄色または金色のような鮮やかな色を与えることが有利である。
図28に参照番号901で一般に示されるテスターで、側壁902、端面壁903を持つ矩形の空箱形状のハウジングを持つものを示す。
前面あるいは上部壁904の一部は内部の詳細を示すために取り除いてある。    上部壁904の残りの部分に従来の複数のレンジを持つメータ906と、複数のパラメータの複数の異なる範囲のいずれか希望のものを選択する選択つまみ907が見られる。
メータハウジング901の他方の端に、メータの使用に便利なようにプローブ909を端に取り付けた通常の2本のリード線908が備えられている。
ハウジング901の端部に備えられている収納部910内に赤外線検出ユニット911が配置されているが、このユニットの入射端912はハウジング901の端部の壁に作られた開口部913と位置を合わせて配置されている。熱測定用メータの使用の希望するレンジに従い、開口部913は赤外線放射の透過および集束に適したレンズ914を含む。
赤外線検出ユニット911は、内部で選択スイッチ907とメータ906に接続され、熱測定の選択されたレンジでの表示が得られるようになっている。ある実施例のメータは、測定したい熱源の方向に向けられた時にメータが保持されなければならない好ましい距離を表示する。
使用に当たっては、メータは既知のテスターの通常の機能を全て供給するが、それに加えて、単に熱源の方向に正しくメータを向けることにより、熱放射による温度を測定する機能を持つ。
図には示していないが、開口部913とレンズ914（もし備えられていれば）を覆い、保護する適当な囲いが備えられている。
上記の本発明の各側面での更に重要な特徴は、得られた読みの性質を視覚的および音声で表示する手段を備えていることであり、本発明の別の側面では、得られた測定値から結果的に求められる情報を記憶し、コンピュータメモリのような記憶装置、あるいは記録紙または同等のシートに、あるいはデータロガーにかかる情報の恒久的な記録を行なう手段が備えられている。
別の構成ではかかる記憶手段は、装置の把手部分に含まれる。
【００３２】
図29は、赤外線温度検出器とカチリと簡単に取り付けられる着脱式の熱電対接触温度検出器を組み込んだ温度および放射率測定装置の側面図である。
参照番号801で一般に示され、ピストル型把手803上に本体部分802が乗せられた測定計器が示されている。本体部分の前の端に検出器ヘッド804が取付けられている。ある実施例では、この検出器は遠隔温度検出器、遠隔光度検出器、遠隔音響強度検出器、あるいは遠隔放射線検出器である。他のパラメータに対する他の遠隔検出器は内蔵されるか、あるいは本体部分802の内部回路に適切に接続され、本体部分802の所定の位置に固定された分離可能ユニットとして備えられている。
検出器ヘッド804の正確な照準の補助のために、本体部分802には照準手段805が備えられている。これは対象区域の中心を求め、また測定対象の区域を画定するために、対象区域に1本または複数のレーザビーム、あるいはハロゲンビームのような光ビームを投射するための、十字線、望遠鏡あるいはモジュール式で着脱および交換可能な手段のような単純な光学的装置である。例として、レーザ投光器は対象物上の対角線位置にある一対のスポットか、またはかかるスポット（複数）で構成されるサークルを投射し、ビーム分割器または回折器からの中心スポットがあっても無くても良い。
本体部分802には、選択可能なパラメータレンジを持つ単純なテスターであるメータアセンブリ806か、あるいはパラメータを選択可能な異なるレンジに変換できる電子的アセンブリが取付けられている。特にメータアセンブリ806にはパラメータの測定値の音声への、好ましくは組み込まれた音響トランスデューサあるいはスピーカ（ヘッドフォン）に供給されるパラメータの測定値の合成発話への変換手段が組み込まれる。
本体部分802は更にソケットのような手段807を備え、温度が測定される物体に直接接触して使用される熱電対装置809のような別のパラメータ測定計器からのリード線808を受ける。
ソケット取り付け部1001は把手、または脚1004を持つ三脚構造1003の心棒1002を取り外し可能に受け、操作者が装置を希望の場所に設置できるようにし、それによって例えば有毒あるいは他の危険があるかあるいは希望しない場所のような所に操作者が止まる必要がないようにできる。ここに開示した各測定装置は、かかる取り付け部および三脚による支持設備を備えていることが好ましい。ソケットは、計器がソケットの位置でバランスするような位置に置かれる。
【００３３】
ここに述べた実施例および態様のそれぞれにおいて更なる特徴は、アナログ計測と共に、あるいはその代替としてディジタル計測を与えることである。
上に述べた本発明の各態様において、音声出力が供給された時、例えば「話す」テスターが含まれる場合、操作者は離れて、例えば視界から外れた場所で安全な距離に居ることができるという利点が得られる。音声出力は、使用者がいる別の部屋で聞けるようにし、あるいはヘッドフォンに声、音調あるいはクリック音として送ってもよい。
本発明の更なる重要な特徴は、メータの梱包の方法に関する。梱包の第一の実施例は金属、プラスティックまたは他の十分に堅い材料で一体または複数の部品を持つ構造に作れらた箱または匡体で、メータの形状に合わせてくり抜かれたスペースに余り隙間がないようにメータを容易に出し入れできるが、持ち運びの際は比較的堅固にメータを保持し、また衝撃、雰囲気条件および落下に対してメータを保護するものである。別の実施例では、かかる梱包はチャコールグレイか黒に着色される。
別の実施例では、メータの梱包はメータの上に滑らせて覆って保護をするスリーブ、バンパーまたはカバーの形になっており、持ち運びおよび取り扱いを容易にし、希望の異なる着色が行われる。
この実施例では、外側の梱包はメータの性質とその出元の両方を示すのに便利な黄色あるいは金色である。他の実施例では、異なる機能、異なる寸法、異なるレンジ、および他の特性を持つメータの型式の違いを示すために、それぞれ色分けされる。
本発明のメータの更に別の実施例では、メータを対象物に照準するために用いられるレーザ光を石英ハロゲン光のような白熱光によって置き換えて、ビーム、光点またはサークルを投射する。かかる照準手段は好ましくはモジュール構成で取り外し可能かつ交換可能である。
別の実施例では、メータを使用状態にしたり使用をやめたりすることは、メータを保持している手で容易に操作できるトリガー、スイッチあるいはトッグルによって手動で行われ、これによりメータはずっと電源を入れた状態にしておく必要はなく、必要に応じて短時間だけ使用できる。
更に別の実施例では、メータハンドル部分は、手の握りを良くするための浮き彫りまたはレリーフされた表面を持つ。
別の実施例では、装置は放射性放出を検出する手段を備える。別の実施例では、音声出力によって測定値を音の調子、音の高さ、または音の発生割合いの変化で知らせる。
温度測定のための本発明の別の実施例によれば、第1の値は接触型の温度計を使用して得られ、第2の値は非接触型の温度計を使用して得られ、接触型の温度計による測定と非接触型の温度計による測定から補正係数が求められ、その補正係数を使用して非接触型温度計の測定値を補正して、非接触型温度計から正しい測定値を得る。接触型温度計としては熱電対やサーミスタが使用され、非接触型温度計としては熱電堆やサーミスタボロメータが使用される。
装置には、装置を接触測定モードと非接触測定モードに切り替え、レーザ光他の光による1本または複数の照準ビームを使用および不使用状態に切り替え、また必要ならば補正係数を使用するか省略するかを切り替えるために、スイッチ手段を含むことができる。
補正係数を電子回路で供給することにより、（i）接触型温度計が測定しようとする表面よりもかなり低い温度にある、（ii）接触型温度計が測定しようとする表面よりもかなり高い温度にある、また（iii）周囲から発生し測定に影響する外部放射などの状況から生じる可能性のある誤差が許容される。接触測定温度と非接触測定温度、およびそれらの両方から得られる結果は、液晶ディスプレイに表示することができる。
装置には、使用する補正係数のタイプと程度を示すディスプレイを含むのが都合がよい。補正係数が所定の限界より小さいか大きい場合は、それを判別し、視覚または聴覚、あるいはその両方で使用者に知らせる機能を持たせることができる。
測定しようとするものが接触測定だけで行うのが適切かそれとも放射を利用した測定だけで行うのが適切か、あるいは両方の測定を組み合わせた方が良いか、またそれはいつであるかを判定し、装置の使用者に示す手段を備えることができる。
【００３４】
本発明の大きな特徴であり、また当該技術における進歩となるのは、本装置で得られた測定値その他のデータが、音声の形で、特に話言葉として得られ、その目的のために例えば1又は多種類の異なる言語を提供する1個以上のマイクロチップを含むことである。
測定計器には取り外し可能なデータ記録手段を備えることが有利であり、それにより測定値全体に加えて時刻、日付その他の情報が完全に記録されるが、任意の時点で選択した測定値のみが表示または音声で読み上げされる。
別の実施例では、パラメータの測定値に対応した情報が測定計器から、例えば既知の種類の赤外線信号により、例えば危険な場所からの安全な距離にいる操作者が使用しているレセプタに伝達され、それはまたデータを記録する役割を果たす。
更に別の実施例では、例えば赤外線信号により測定計器に指示を伝達する遠隔制御のハンドセットあるいはコンソールを使用者が操作することにより、測定計器が離れた所から操作される。
別の特徴は、計器が別のパラメータまたは別のレンジでのパラメータを測定している時に、操作者が測定計器から別の出力情報を見たり聴いたりできるということである。
レーザまたは他の光のスポットが対象物に投射される場合、異なる実施例では、かかるスポットは、1つは中心に1つは周辺にある一対のスポットであるか、または対角線上に対向している2つのスポットであるか、あるいはそれぞれの半径上にあるスポットである。他の実施例では、スポットはサークルまたは交差する一対の線、あるいは平行線などの2個よりも多いスポットで置き換えられる。  ここではレーザ光の投光器のような照準装置が内蔵されるものとして示されているが、別の実施例では、それらは取り付けおよび取り外し可能なものとして、また例えばプラグインユニットとして備えられる。
本発明は、熱電対、RTDまたはサーミスタのような温度センサで対象物に接触して接触による温度測定値を得て、また対象物、あるいは対象物の選択された区域からの赤外線放射を感知して非接触による温度測定値を得て、そしてこれらの2つの測定値から計算によって真の温度を導くことにより、対象物の温度を求める方法を提供する。本方法は、既知の一定の補正係数、または接触測定値と非接触測定値の間の差から得られた補正係数の使用を含む。
ここでサーミスタに言及した全ての例において、熱電対またはRTDが使用され得ると見なされる。本方法には更に、2つの測定値間の過大または過小な差、あるいはその両方から求められる補正係数の使用も含まれる。本方法には更に、非接触測定値に影響する外部放射から生じるあらゆる擾乱要因の判定と、その擾乱要因を得られた温度測定値の補正に使用することも含まれる。
本発明の実施例によってなされた全ての測定は、ディジタル写真カメラによる方法で着脱式の1.44MBフロッピー（登録商標）ディスクに記録し、その後コンピュータまたはプリンタ上で表示できる。計器の構成には、放射および電気的に検出された信号を一体型着脱式内部ディスク上に記録して他の場所で処理するために、ディジタル写真カメラ技術において既知の装置を組み込むことができる。
ここに記述した2種類以上の計器はそれぞれ異なる場所に置いて互いに接続してネットワークを構成し、統合された測定システムで多数の異なる場所またはパラメータを検分することができる。
【００３５】
【図面の簡単な説明】
【図1】  温度の遠隔測定その他の機能を補助的に持つテスターの立面図である。
【図2】  図1に関する詳細図である。
【図3】  高温計とテスターを組み合わせた実施例の平面図である。
【図4】  高温計とテスターを組み合わせた実施例の正面図である。
【図5】  高温計とテスターを組み合わせた実施例の側面図である。
【図6】  別の実施例を示す。
【図7】  直接接続して赤外線放射と接触温度を同時に表示できる、赤外線による熱測定装置と熱電対による温度測定装置を組み込んだシステムを示す。
【図8】  テスター、高温計および熱電対間の可能な相互間接続を示すブロック図である。
【図9】  パラメータの遠隔検出と測定値に対応する音声出力機能を有する測定計器で、片手で保持して対象物に向けるのに便利なピストル型把手を有するものの側面図である。
【図10】  （Ａ）は、パラメータの測定値に対応する音声出力を与え、同時に測定値を視覚的に表示し、また例えば記録紙の形で測定値を保存するために、装置内で使用できる必須の並びにオプションの、両方の構成要素を示すブロック図である。（B）は、（Ａ）の変形を示す。
【図11】  手の中に保持する取り外し可能ハンドルを付けた測定装置の実施例の側面斜視図である。
【図12】  ハンドルを取り除いた図11の測定装置の下面図である。
【図13】  図11の測定装置の下部にある着脱式ハンドルの位置に代わりに差込み、あるいは固定するように構成された三脚の側面図である。
【図14】  手に保持する着脱式ハンドルを取付けた測定装置の別の実施例の側面図である。
【図15】  図14の測定装置の側面図で、着脱可能に三脚に取付けられた状態を示す。
【図16】  図14の測定装置を包み、保護する着脱式スリーブあるいは保護カバーの側面斜視図である。
【図17】  図14および15の測定装置の前面、下面および側面からの斜視図である。
【図18】  赤外線温度検出器および、カチリとはめ込むだけで着脱可能な熱電対による接触温度検出器を組み込んだ、温度および放射率測定装置全体の側面図である。
【図19】  図18の装置の平面図である。
【図20】  図18の装置のXX-XX方向の部分的正面図である。
【図21】  別の実施例で図18のアームの代わりに使用される、伸縮可能および／あるいは滑動式の検出器アームの側面図である。
【図22】  別の実施例で図18のアームの代わりに使用される、縦方向に調整可能な検出器アームの別の形態の側面図である。
【図23】  検出器のアームの端部に取付けられた時、レンジまたは感度あるいはその両方が異なる接触型の温度測定要素を使用可能にする、タレット式に回転可能な検出器ヘッドの側面図である。
【図24】  （A）および（B）はそれぞれ、レンジまたは感度あるいはその両方が異なる多数の接触型の温度測定要素のうちの一つを選択及び使用可能にする回転可能カバーを持つ検出器ヘッドの別の形態の側面図および正面図である。
【図25】  （A）および（B）はそれぞれ、中心の周囲の接触点の三点測定を行うための複数の温度測定要素を持つヘッドを備える検出器アームの部分的側面図、および正面図である。
【図26】  赤外線で検出された温度、熱電対で検出された接触温度、および前記の両者から計算された放射率の内、所望のものを測定・表示する装置の操作方法を示すブロック図である。
【図27】  パラメータの測定値に対応する可聴出力を与え、同時に測定値を視覚的に表示し、また例えば記録紙の形で測定値を保存するために、装置内で使用できる必須の、並びにオプションの両方の構成要素を示すブロック図である。
【図28】  代表的なテスターの平面の部分破断図である。
【図29】  使用者から離れて装置を設置するための三脚あるいは類似のスタンドへの取付け具を持つ温度および放射率測定装置の側面図である。
【符号の説明】
１  テスター
２  ディジタル表示器
３  選択スイッチ
４  プラグ
６  サーミスタプローブ
101  高温計
102  望遠鏡照準器
104  レーザ照準器
105  レーザビーム投光手段
【図１】
0004187329.tif 000002
【図２】
0004187329.tif 000003
【図３】
0004187329.tif 000004
【図４】
0004187329.tif 000005
【図５】
0004187329.tif 000006
【図６】
0004187329.tif 000007
【図７】
0004187329.tif 000008
【図８】
0004187329.tif 000009
【図９】
0004187329.tif 000010
【図１０】
0004187329.tif 000011
【図１１】
0004187329.tif 000012
【図１２】
0004187329.tif 000013
【図１３】
0004187329.tif 000014
【図１４】
0004187329.tif 000015
【図１５】
0004187329.tif 000016
【図１６】
0004187329.tif 000017
【図１７】
0004187329.tif 000018
【図１８】
0004187329.tif 000019
【図１９】
0004187329.tif 000020
【図２０】
0004187329.tif 000021
【図２１】
0004187329.tif 000022
【図２２】
0004187329.tif 000023
【図２３】
0004187329.tif 000024
【図２４】
0004187329.tif 000025
【図２５】
0004187329.tif 000026
【図２６】
0004187329.tif 000027
【図２７】
0004187329.tif 000028
【図２８】
0004187329.tif 000029
【図２９】
0004187329.tif 000030